(57)【要約】【目的】ナットの緩みを防止し、かつ、増し締めする事が出来るナットの提供を目的とする。【構成】この反転止めナットは、コイルスプリングの反発力で常時部材を締め付けることが出来、部材がなじんで、締め付けが甘くなっても、スプリングの力で、ナットは、回転しながら、追従して締め付けることが出来る。又、反転止め装置によって、刃がボルトに食い込んでいるので、長期間の振動でも決して緩まない。【選択図】図３
2005106265.tif 000002
【特許請求の範囲】
【請求項１】
コイルスプリング７  は、ネジ有りナット穴４  にスプリング左末端６  を差し込み、スプリング右末端８  に、ネジ無しナット穴１０  を通す。  図３に示す。
スパナでネジ無しナット９  を回すと、コイルスプリング７  は反発力を得、スパナを離すと反回転する。その反回転を、反転止め装置１２  で止めると、コイルスプリング７  は反作用で、ネジ有りナット３  を、回す力となり、結果、常に部材１  を締め続けることを特徴とする、コイルスプリング７
【請求項２】
ネジ有りナット３  は、スプリング左末端６  が差し込まれるネジ有りナット穴４  を設ける。また、ネジ有りナット３  に、ネジ有りナット筒状の突起５  を設け、コイルスプリング７  の力が均等に働くようにし、又、スプリング左末端６  の直角に曲げた箇所のの曲げ応力で弱くなった部分を、カバーすることを特徴とする、ネジ有りナット３
【請求項３】
ネジ無しナット９  は、ナットのネジを無くす事によって、ナットを回さなくてもボルト２  に通す事ができ、結果、スプリング右末端８  がネジ無しナット穴１０  に収まるようにし、
ネジ無しナット９  にネジ無しナット筒状の突起１１  を設け、コイルスプリング７  の力が均等に働くようにして、同時にスプリング右末端８  の直角に曲げた箇所のの曲げ応力で弱くなった部分を、カバーすることを特徴とする、ネジ無しナット９
【請求項４】
反転止め装置１２  は、  Ｕ型部品１３  、扇型部品１５  軸棒１４  から出来ており、Ｕ型部品１３  をネジ無しナット９  に固定する。Ｕ型部品１３  、扇型部品１５  は、軸棒１４  を通す軸穴を開け、そこに、軸棒１４  を通す。形部品１５  には、刃１６  が付いており軸棒１４  から刃１６  までの寸法は多少右側より、左側が長くなっており、この構造によってネジ無しナット９  は右回転（締める回転）はするが、左回転（緩む回転）は、コイルスプリング７  の反発力が強ければ強いほど、刃１６  が、ボルト２  に食い込み、回らなくなることを特徴とする、反転止め装置１２
【請求項５】
クサビ１８  は  ネジ無しナット９  に、クサビ押し突起１７  を設け、クサビ押し突起１７  と、ボルト２  の間に差し込むようにする。
ネジ無しナット９  は、コイルスプリング７  の反発力で戻ろうとする力によってクサビ１８  は食い込み、ネジ無しナット９  は、戻らなくなることを特徴とする、クサビ１８
【発明の詳細な説明】
【発明の詳細な説明】
【産業上利用分野】
【０００１】この発明は、あらゆる産業に伴う部材を固定する、ナットの改良用である。
【背景技術】
【０００２】従来のナットは振動に弱く、長い間には、どうしても緩んでしまう欠点がある。
その為スプリングワッシャーや、ダブルナットなどを使用するが、それでも欠点を補うことは出来ない。
【発明が解決使用とする課題】
【０００３】この発明は、ナットが緩んでしまう欠点を補うため、スプリング反転止めナットの提供を目的とする。
【課題を解決する手段】
【０００４】ネジ無しナット９  を、スパナで締める方向に回すとコイルスプリング７  は、反発力を得、スパナを放すと、反転止め装置１２  によって、戻ろうとする反発力を利用して戻らなくする。
したがってその反作用により、絶えず、ネジ有りナット３  が、部材１  を締め続ける。
【作用】
【０００５】ネジ無しナット９  をスパナで締める方向に回すとコイルスプリング７  は、反発力を得、スパナを放すと、戻ろうとする力を、反転止め装置１２  で戻らなくし、その反作用で部材１  を締め続ける。
【実施例】
【０００６】図面で、手順をおって説明すると
部材１  を、ネジ有りナット３  でしっかり締め付ける。図６
ネジ有りナット穴４  に、スプリング左末端６  を差し込む。図７
スプリング右末端８  に、ネジ無しナット穴１０  を通し、セットは完了する。図８
次に、ネジ無しナット９  をスパナで回わす。図９  この時、片方の手で扇型部品１５  をボルト２  に向かって軽く手でおさえ、ボルト２  に刃１６  を接触させる。図１０
スパナを離すと、ネジ無しナット９  は、コイルスプリング７  の反発力で戻ろうとするが、扇形部品１５  の刃１６  が、ボルト２  に食い込んで、戻らない。そこで手を放す。図１１
コイルスプリング７  の、反発力が弱いときは、この動作をさらに、繰り返かえす。
蓄えられた反発力は、ネジ無しナット９  を戻そうとするが、回らないのでその反発力は反作用でネジ有りナット３  を回す力となり、ネジ有りナット３  は部材１  を、締め続ける。
【発明の効果】
【０００７】スパナで、ネジ無しナット９  を回し、もう一方の手で扇型部品１５  を軽く押して、ネジ無しナット９  からスパナを放す。すると反転止め装置１２  の刃１６  が、ボルト２  に食い込んでネジ無しナット９  は戻らない。そして又、スパナでネジ無しナット９  を回す。
これを数回繰り返して簡単に、コイルスプリング７  の反発力を蓄積させることが出来る。
ネジ有りナット３  とネジ無しナット４  、共に異なる大きさの穴を設け、コイルスプリング７  の左右末端の状況に応じた太さを、選べるようにし、金属等の締め付けの場合、部材がなじんで、締め付けが甘くなった場合は、締め付け追従が小さいので、コイルスプリング７  のコイルを、少なくし、経を太くして締め付けを強くする。
木材等の締め付けの場合、金属と比べ、木痩せに対する締め付け追従が大きいので、コイルを多くすることによって、締め付け追従を可能にできる。
このように、スプリング反転止めナットは、多目的に使える。
市販されている、緩み止めナット類は、締め付け部材がなじんで、締め付けが甘くなっても、ナットが回転しながらの締め付け追従はできない。
又、スプリング反転止めナットは、接触抵抗による締め付けではなく、反転止め装置の刃がコイルスプリング７  の反発力を利用して、ボルトに食い込むので、決して緩まない。
【図面の簡単な説明】
【図１】スプリング反転止めナットの斜視図である。
【図２】スプリング反転止めナットの側面図である。
【図３】スプリング反転止めナットを、セットした状態の側面図である。
【図４】反転止め装置１２の拡大図である。
【図５】クサビ１８で、ネジ無しナット９の回転を止めた、側面図と正面図である。
【図６】ネジ有りナット３で部材１を締め付けた状態の側面図である。
【図７】ネジ有りナット３のネジ有りナット穴４  に、コイルスプリング７の左末端６を差し込んだ状態の側面図である。
【図８】コイルスプリング７の右末端８に、ネジ無しナット９のネジ無しナット穴１０を通した状態の側面図である。
【図９】片方の手で扇型金具１５を押し、刃１６をボルト２に接触させるようにしながらもう一方の手で、スパナを回し、コイルスプリング７に反発力を与えようとしてる状態の側面図である。
【図１０】スパナでネジ無しナット９を回し、コイルスプリングは７、反発力を得た状態の側面図である。
【図１１】スパナを離し、反転止め装置１２の扇型部品１５の刃１６  が、ボルト２に食い込んで左回転（緩む回転）が出来なくなった状態の側面図である。
【符号の説明】
１    部材                            ２    ボルト
３    ネジ有りナット                  ４    ネジ有りナット穴
５    ネジ有りナット筒状の突起        ６    スプリング左末端
７    コイルスプリング                ８    スプリング右末端
９    ネジ無しナット                １０    ネジ無しナット穴
１１    ネジ無しナット筒状の突起      １２    反転止め装置
１３    Ｕ型部品                      １４    軸棒
１５    扇型部品                      １６    刃
１７    クサビ押し突起                １８    クサビ
【図１】
2005106265.tif 000003
【図２】
2005106265.tif 000004
【図３】
2005106265.tif 000005
【図４】
2005106265.tif 000006
【図５】
2005106265.tif 000007
【図６】
2005106265.tif 000008
【図７】
2005106265.tif 000009
【図８】
2005106265.tif 000010
【図９】
2005106265.tif 000011
【図１０】
2005106265.tif 000012
【図１１】
2005106265.tif 000013